(57)【要約】      （修正有）【課題】光硬化性樹脂組成物の光硬化物である硬化樹脂パターンの基板からの剥離や、パターンの欠陥が無く、繰り返し安定的に硬化樹脂パターンを形成することができる光インプリント方法を提供する。【解決手段】光インプリント材料として、溶解度パラメータｓｐ値が１３．５〜１５．５の範囲である光重合性モノマーＡを２種類以上と、溶解度パラメータｓｐ値が２０以上である光重合性モノマーＢを１種類以上と、光重合開始剤とを含む光硬化性樹脂組成物を用いる。【選択図】なし【特許請求の範囲】
【請求項１】
溶解度パラメータｓｐ値が１３．５〜１５．５の範囲である光重合性モノマーＡを２種類以上と、溶解度パラメータｓｐ値が２０以上である光重合性モノマーＢを１種類以上と、光重合開始剤とを含む光硬化性樹脂組成物で形成された光硬化性樹脂組成物層を、基板と表面に凹凸パターンが形成されたモールドとで挟み込むことにより、前記モールド表面の前記凹凸パターンに前記光硬化性樹脂組成物層を充填する成形工程と、
活性エネルギー線を照射して前記光硬化性樹脂組成物層を硬化することにより光硬化物とする光硬化工程と、
前記モールドを離型することにより、前記基板上に、前記光硬化物からなり前記凹凸パターンが表面に転写された硬化樹脂パターンを形成する離型工程を有することを特徴とする光インプリント方法。
【請求項２】
前記光硬化性樹脂組成物は、前記溶解度パラメータｓｐ値が１３．５〜１５．５の範囲である光重合性モノマーＡとして、溶解度パラメータｓｐ値が１３．５〜１５．５の範囲であり且つ末端にトリフルオロメチル基を有する光重合性モノマーａ１と、溶解度パラメータｓｐ値が１３．５〜１５．５の範囲であり且つ末端にジフルオロメチル基又はトリフルオロメチル基を有する光重合性モノマーａ２とを含むことを特徴とする請求項１に記載する光インプリント方法。
【請求項３】
前記硬化樹脂パターンの前記基板とは反対側の表面層は、前記硬化樹脂パターンの前記基板側の下層よりも、前記溶解度パラメータｓｐ値が１３．５〜１５．５の範囲である光重合性モノマーＡの硬化物を多く含むことを特徴とする請求項１又は２に記載する光インプリント方法。
【請求項４】
前記硬化樹脂パターンの表面自由エネルギーが４２ｍＪ／ｍ２以下であることを特徴とする請求項１〜３のいずれか一項に記載する光インプリント方法。
【請求項５】
前記モールドは、離型処理をしていないことを特徴とする請求項１〜４のいずれか一項に記載する光インプリント方法。
【請求項６】
前記成形工程を、ペンタフルオロプロパンを含む不活性ガス雰囲気下で行うことを特徴とする請求項１〜５のいずれか一項に記載する光インプリント方法。
【発明の詳細な説明】
【技術分野】
【０００１】
本発明は、基板上にモールドの凹凸パターンが転写された硬化樹脂パターンを形成する光インプリント方法に関する。
【背景技術】
【０００２】
光インプリントは、光硬化性樹脂組成物を基板等に塗布して形成した光硬化性樹脂組成物層を、凹凸パターンが形成されたモールドと基板とで挟み込むことによりモールドの凹凸パターンに光硬化性樹脂組成物層を充填し、活性エネルギー線を照射してこの光硬化性樹脂組成物層を硬化することにより光硬化物とした後、モールドを離型することにより、基板上に、光硬化物からなり凹凸パターンが表面に転写された硬化樹脂パターンを得る方法であり、凹凸パターンが転写された硬化樹脂パターンを簡便に作ることができるため、近年注目されている技術である（特許文献１参照）。
【０００３】
しかしながら、光インプリントでは、光硬化物からモールドを離型する際に、この光硬化物からモールドが離型されずに、光硬化物が基板から剥離してしまう場合があるという問題や、光硬化物は基板から剥離しないが一部がモールドに付着してしまいパターンの欠陥が生じ、所望の凹凸パターンを有する硬化樹脂パターンを得ることができないという問題がある。特に、モールドを繰り返し使用すると、この問題が顕著である。
【０００４】
このため、通常はモールドに離型処理を行っているが、繰り返してインプリントすると、この離型処理の効果が低下してくるという問題がある。
【０００５】
また、例えば、フッ素化合物を光硬化性組成物に含有させ、フッ素化合物を表層部に配置させるようなレジスト膜を形成する技術が提案されている（特許文献２参照）。しかしながら、この特許文献２の方法では、光硬化性組成物によっては、フッ素化合物が光硬化性組成物に十分溶解しないためか、十分な効果が得られないという問題がある。
【０００６】
さらに、光硬化性樹脂組成物に同一分子骨格中に反応性官能基と疎水性官能基を有する化合物を配合するナノインプリント技術が開示され、このような問題を解決できるとしている（特許文献３参照）。しかしながら、やはり、光硬化性樹脂組成物の組成によっては同一分子骨格中に反応性官能基と疎水性官能基を有する化合物の他のモノマー成分への溶解度が低いためか、十分効果を発揮できるほど配合できないという問題点がある。
【先行技術文献】
【特許文献】
【０００７】
【特許文献１】米国特許第６３３４９６０号明細書
【特許文献２】特開２００９−８３４９５号公報
【特許文献３】特開２００９−１９１１７２号公報
【発明の概要】
【発明が解決しようとする課題】
【０００８】
本発明はこのような事情に鑑み、光硬化性樹脂組成物の光硬化物である硬化樹脂パターンの基板からの剥離や、パターンの欠陥が無く、繰り返し安定的に硬化樹脂パターンを形成することができる光インプリント方法を提供することを課題とする。
【課題を解決するための手段】
【０００９】
本発明者らは上記課題を解決するため鋭意検討した結果、溶解度パラメータｓｐ値が特定範囲である光重合性モノマーを２種類以上と、溶解度パラメータｓｐ値が特定範囲である光重合性モノマーを１種以上と、光重合開始剤とを含む光硬化性樹脂組成物を用いることにより、上記課題を解決できることを見出し、本発明を完成するに至った。
【００１０】
すなわち、本発明の光インプリント方法は、溶解度パラメータｓｐ値が１３．５〜１５．５の範囲である光重合性モノマーＡを２種類以上と、溶解度パラメータｓｐ値が２０以上である光重合性モノマーＢを１種類以上と、光重合開始剤とを含む光硬化性樹脂組成物で形成された光硬化性樹脂組成物層を、基板と表面に凹凸パターンが形成されたモールドとで挟み込むことにより、前記モールド表面の前記凹凸パターンに前記光硬化性樹脂組成物層を充填する成形工程と、活性エネルギー線を照射して前記光硬化性樹脂組成物層を硬化することにより光硬化物とする光硬化工程と、前記モールドを離型することにより、前記基板上に、前記光硬化物からなり前記凹凸パターンが表面に転写された硬化樹脂パターンを形成する離型工程を有することを特徴とする。
【００１１】
前記光硬化性樹脂組成物は、前記溶解度パラメータｓｐ値が１３．５〜１５．５の範囲である光重合性モノマーＡとして、溶解度パラメータｓｐ値が１３．５〜１５．５の範囲であり且つ末端にトリフルオロメチル基を有する光重合性モノマーａ１と、溶解度パラメータｓｐ値が１３．５〜１５．５の範囲であり且つ末端にジフルオロメチル基又はトリフルオロメチル基を有する光重合性モノマーａ２とを含むことが好ましい。
【００１２】
そして、前記硬化樹脂パターンの前記基板とは反対側の表面層は、前記硬化樹脂パターンの前記基板側の下層よりも、前記溶解度パラメータｓｐ値が１３．５〜１５．５の範囲である光重合性モノマーＡの硬化物を多く含むことが好ましい。
【００１３】
また、前記硬化樹脂パターンの表面自由エネルギーが４２ｍＪ／ｍ２以下であることが好ましい。
【００１４】
前記モールドは、離型処理をしていなくてもよい。
【００１５】
また、前記成形工程を、ペンタフルオロプロパンを含む不活性ガス雰囲気下で行うことが好ましい。
【発明の効果】
【００１６】
本発明によれば、溶解度パラメータｓｐ値が特定範囲である光重合性モノマーＡを２種類以上と、溶解度パラメータｓｐ値が特定範囲である光重合性モノマーＢを一種以上と、光重合開始剤とを含む光硬化性樹脂組成物を用いることで、光硬化性樹脂組成物の光硬化物である硬化樹脂パターンの基板からの剥離や、パターンの欠陥が無く、繰り返し安定的に、光インプリント法で硬化樹脂パターンを形成することができる。
【図面の簡単な説明】
【００１７】
【図１】光硬化物の製造方法の一例を示す断面図である。
【図２】実施例１の硬化樹脂パターンの表面を走査型電子顕微鏡により観察した写真である。
【発明を実施するための形態】
【００１８】
以下、図１を参照して、本発明について詳細に説明する。図１は本発明の光インプリント方法の一例を示す断面図である。
【００１９】
本発明の光インプリント方法は、溶解度パラメータｓｐ値が１３．５〜１５．５の範囲である光重合性モノマーＡを２種類以上と、溶解度パラメータｓｐ値が２０以上である光重合性モノマーＢを１種類以上と、光重合開始剤とを含む光硬化性樹脂組成物で形成された光硬化性樹脂組成物層を、基板と表面に凹凸パターンが形成されたモールドとで挟み込むことにより、モールド表面の凹凸パターンに光硬化性樹脂組成物層を充填する成形工程と、活性エネルギー線を照射して光硬化性樹脂組成物層を硬化することにより光硬化物とする光硬化工程と、モールドを離型することにより、基板上に、光硬化物からなり凹凸パターンが表面に転写された硬化樹脂パターンを形成する離型工程を有する方法である。
【００２０】
具体的には、まず、図１（ａ）に示すように、光硬化性樹脂組成物を基板１上に塗布等することにより、基板１上に光硬化性樹脂組成物層２を形成する。
【００２１】
基板１は、光硬化性樹脂組成物層２を設けることができるものであればよく、例えば、通常の光インプリントにおいて用いられている基板でよい。具体例としては、ガラス、シリカガラス、石英、サファイア等の透明無機基板、ポリカーボネート、ポリエチレンテレフタラート（ＰＥＴ）、トリアセチルセルロース等の透明合成樹脂基板や、シリコンウェハ等の半導体基板、ＧａＡｓ、ＩｎＡｓ、ＧａＮ等の化合物半導体、金属又は金属酸化物等が挙げられる。そして、基板１の表面は、光硬化性樹脂組成物層２との接着性の向上や光硬化性樹脂組成物層２の塗布状態改良等のために、前処理が施されていてもよい。前処理の具体例としては、湿式の表面洗浄やプラズマ、オゾン洗浄等による表面改質、シランカップリング剤のような接着性向上剤による処理等が挙げられる。
【００２２】
モールド３は、所望の凹凸のパターンが表面に形成されていればよい。モールド３の材質の例としては、石英ガラス、合成石英ガラス、シリカガラスや、シリコン、シリコンカーバイド、酸化シリコン、ニッケル等を挙げることができる。モールド３の外観は、通常の光インプリントにおいて用いられているモールドの外観と同様のものでよく、例えば外観が直方体状又はロール状であってもよい。
【００２３】
また、モールド３の表面に形成されている凹凸のパターンは、通常の光インプリントにおいて用いられているモールドの表面に形成されている凹凸のパターンと同様のものであってよいが、それに限定されるものでない。例えば、モールドの材料であるシリカ等の表面に窪みを形成することにより凹部を形成したモールドとしてもよく、この場合、相対的に表面側に突出した部分が凸部となる。また、モールドの材料の表面に突起を設けることにより凸部を形成したモールドとしてもよく、この場合、相対的に内側に窪んだ部分が凹部となる。さらに、原版の材料の表面に窪みまたは突起を設けることにより形成した凹凸パターンを有する原版を用い、この原版を鋳型として形成したモールドとしてもよい。凹凸のパターンの各凹部の断面の形状は、正方形、長方形、半月形、またはそれら形状に類似した形状等でもよい。
【００２４】
本発明においては、基板１もしくはモールド３の少なくとも一方は、詳しくは後述する光硬化工程で用いられる活性エネルギー線に対して透過性を示すものを使用する必要がある。
【００２５】
なお、通常の光インプリントでは、モールドの離型性を良好にするために、モールドの表面に離型処理を施すが、本発明の光インプリント方法は離型性に非常に優れているため、離型処理を施さないモールドを用いることができる。勿論、本発明においても、モールド表面に離型処理を施してもよい。離型処理は気相法や液相法等によって、パーフルオロ系又は炭化水素系の高分子化合物、アルコキシシラン化合物又はトリクロロシラン化合物、ダイヤモンドライクカーボン等に例示される公知の離型処理剤を用いて行うことができる。
【００２６】
光硬化性樹脂組成物層２を形成する光硬化性樹脂組成物は、溶解度パラメータｓｐ値が１３．５〜１５．５の範囲である光重合性モノマーＡを２種類以上と、溶解度パラメータｓｐ値が２０以上である光重合性モノマーＢを１種類以上と、光重合開始剤とを含む。
【００２７】
本発明における光重合性モノマーとは、活性エネルギー線により重合する化合物である。光重合性モノマーは、ラジカル重合して硬化するラジカル硬化タイプ、活性エネルギー線によりカチオン重合して硬化する光カチオン硬化タイプ、これらの併用タイプのいずれでもよい。
【００２８】
ラジカル硬化タイプの光重合性モノマーとしては、（メタ）アクリル基、（メタ）アクリルアミド基、ビニル基等のラジカル重合性を示す官能基を有する化合物が挙げられる。
【００２９】
光カチオン硬化タイプの光重合性モノマーとしては、ビニル基、エポキシ基や、オキセタニル基等の光カチオン重合性を示す官能基を有する化合物が挙げられる。
【００３０】
そして、本発明においては、このような光重合性モノマーのうち、特定の光重合性モノマー、すなわち、溶解度パラメータｓｐ値が１３．５〜１５．５の範囲である光重合性モノマーＡを２種類以上と、溶解度パラメータｓｐ値が２０以上である光重合性モノマーＢとを用いる。
【００３１】
溶解度パラメータｓｐ値（以下、単に「ｓｐ値」とも記載する）は下記式（１）で表され、凝集エネルギー密度の平方根で定義される。式（１）において、Ｅはモル凝集エネルギー、Ｖはモル容積である。溶解度パラメータｓｐ値の単位は、本発明では（Ｊｃｍ−３）１／２を用いる。
溶解度パラメータｓｐ値＝（Ｅ／Ｖ）１／２  ・・・・・（１）
【００３２】
溶解度パラメータｓｐ値が１３．５〜１５．５の範囲である光重合性モノマーＡは２種類以上用いることで本発明の効果を発揮するが、特に、溶解度パラメータｓｐ値が１３．５〜１５．５の範囲である光重合性モノマーＡとして、溶解度パラメータｓｐ値が１３．５〜１５．５の範囲であり且つ末端にトリフルオロメチル基を有する光重合性モノマーａ１と、溶解度パラメータｓｐ値が１３．５〜１５．５の範囲であり且つ末端にジフルオロメチル基又はトリフルオロメチル基を有する光重合性モノマーａ２とを用いることが好ましい。光重合性モノマーａ１や光重合性モノマーａ２は、それぞれ１種以上用いることができる。そして、光硬化性樹脂組成物が含有する溶解度パラメータｓｐ値が１３．５〜１５．５の範囲である光重合性モノマーＡの中で、質量基準で一番多い成分が、光重合性モノマーａ１であることが好ましい。また、これら溶解度パラメータｓｐ値が１３．５〜１５．５の範囲である光重合性モノマーＡは、５〜２０個のフッ素原子及び（メタ）アクリレートを有する化合物であることが好ましい。
【００３３】
溶解度パラメータｓｐ値が１３．５〜１５．５の範囲であり且つ末端にトリフルオロメチル基を有する光重合性モノマーａ１の具体例としては、１Ｈ，１Ｈ−ヘプタフルオロブチルアクリレート（1H,1H-heptafluorobutyl acrylate）（ｓｐ値：１５．４７）、１Ｈ，１Ｈ−ノニルフルオロペンチルアクリレート（1H,1H-nonylfluoropentyl acrylate）（ｓｐ値：１４．９２）、１Ｈ，１Ｈ−ウンデシルフルオロヘキシルアクリレート（1H,1H-undecylfluorohexyl acrylate）（ｓｐ値：１４．４９）、１Ｈ，１Ｈ−トリデカフルオロヘプチルアクリレート（1H,1H-tridecafluoroheptyl acrylate）（ｓｐ値：１４．１４）、１Ｈ，１Ｈ−ペンタデカフルオロオクチルアクリレート（1H,1H-pentadecafluorooctyl acrylate）（ｓｐ値：１３．８５）、１Ｈ，１Ｈ−ヘプタデカフルオロノニルアクリレート（1H,1H-heptadecafluorononyl acrylate）（ｓｐ値：１３．６０）、１Ｈ，１Ｈ，２Ｈ，２Ｈ−ノナフルオロヘキシルアクリレート（1H,1H,2H,2H-nonafluorohexyl acrylate）（ｓｐ値：１５．０３）、１Ｈ，１Ｈ，２Ｈ，２Ｈ−ウンデカフルオロヘプチルアクリレート（1H,1H,2H,2H-undecafluoroheptyl acrylate）（ｓｐ値：１４．６５）、１Ｈ，１Ｈ，２Ｈ，２Ｈ−トリデカフルオロオクチルアクリレート（1H,1H,2H,2H-tridecafluorooctyl acrylate）（ｓｐ値：１４．２８）、１Ｈ，１Ｈ，２Ｈ，２Ｈ−ペンタデカフルオロノニルアクリレート（1H,1H,2H,2H-pentadecafluorononyl acrylate）（ｓｐ値：１３．９９）、１Ｈ，１Ｈ，２Ｈ，２Ｈ−ヘプタデカフルオロデシルアクリレート（１Ｈ，１Ｈ，２Ｈ，２Ｈ−heptadecafluorodecyl acrylate）（ｓｐ値：１３．７５）１Ｈ，１Ｈ，２Ｈ，２Ｈ−ノナデカフルオロウンデシルアクリレート（1H,1H,2H,2H-nonadecafluoroundecyl acrylate）（ｓｐ値：１３．５５）などが挙げられる。
【００３４】
溶解度パラメータｓｐ値が１３．５〜１５．５の範囲であり且つ末端にジフルオロメチル基又はトリフルオロメチル基を有する光重合性モノマーａ２の具体例としては先に挙げた光重合性モノマーａ１のほか、１Ｈ，１Ｈ，５Ｈ−オクタフルオロペンチルアクリレート（1H,1H,5H-octafluoropentyl acrylate）（ｓｐ値：１５．２０）、１Ｈ，１Ｈ，６Ｈ−デカフルオロヘキシルアクリレート（1H,1H,6H-decafluorohexyl acrylate）（ｓｐ値：１４．７５）、１Ｈ，１Ｈ，７Ｈ−ドデカフルオロヘプチルアクリレート（1H,1H,7H-dodecafluoroheptyl acrylate）（ｓｐ値：１４．３５）、１Ｈ，１Ｈ，８Ｈ−テトラデカフルオロオクチルアクリレート（1H,1H,8H-tetradecafluorooctyl acrylate）（ｓｐ値：１４．０４）、１Ｈ，１Ｈ，９Ｈ−ヘキサデカフルオロノニルアクリレート（1H,1H,9H-hexadecafluorononyl acrylate）（ｓｐ値：１３．７８）、１Ｈ，１Ｈ，１０Ｈ−オクタデカフルオロデシルアクリレート（1H,1H,10H-octadecafluorodecyl acrylate）（ｓｐ値：１３．５６）、１Ｈ，１Ｈ，１０Ｈ−エイコサフルオロウンデシルアクリレート（1H,1H,10H-eicosafluoroundecyl acrylate）（ｓｐ値：１３．３７）、１Ｈ，１Ｈ，２Ｈ，２Ｈ，６Ｈ−オクタフルオロヘキシルアクリレート（1H,1H,2H,2H,6H-octafluorohexyl acrylate）（ｓｐ値：１５．２８）、１Ｈ，１Ｈ，２Ｈ，２Ｈ，７Ｈ−デカフルオロヘプチルアクリレート（1H,1H,2H,2H,7H-decafluoroheptyl acrylate）（ｓｐ値：１４．８４）、１Ｈ，１Ｈ，２Ｈ，２Ｈ，８Ｈ−ドデカフルオロオクチルアクリレート（1H,1H,2H,2H,8H-dodecafluorooctyl acrylate（ｓｐ値：１４．４８）、１Ｈ，１Ｈ，２Ｈ，２Ｈ，９Ｈ−テトラデカフルオロノニルアクリレート（1H,1H,2H,2H,9H-tetradecafluorononyl acrylate（ｓｐ値：１４．１８）、１Ｈ，１Ｈ，２Ｈ，２Ｈ，１０Ｈ−ヘキサデカフルオロデシルアクリレート（1H,1H,2H,2H,10H-hexadecafluorodecyl acrylate）（ｓｐ値：１３．９２）、１Ｈ，１Ｈ，２Ｈ，２Ｈ，１１Ｈ−オクタデカフルオロウンデシルアクリレート（1H,1H,2H,2H,11H-octadecafluoroundecyl acrylate）（ｓｐ値：１３．７０）などを挙げることができる。
【００３５】
また、溶解度パラメータｓｐ値が２０以上である光重合性モノマーＢの具体例としては、トリシクロデカンジメタノールジアクリレート（ｓｐ値：２０．１）、プロピレングリコールジグリシジルエーテルのアクリル酸付加物（ｓｐ値：２２．６）、ポリオキシプロピレン化ビスフェノールＡグリシジルエーテル重縮合物のアクリル酸付加物（ｓｐ値：２１．５）、グリセロール  １，３−ジグリセロレイトジアクリレート（ｓｐ値：２６．０）、１，３−ビス（メタクリロイルオキシ）−２−プロパノール（ｓｐ値：２２．０）、メタクリル酸  ３−（アクリロイルオキシ）−２−ヒドロキシプロピル（ｓｐ値：２２．６）等が挙げられる。中でも、（メタ）アクリル基、（メタ）アクリルアミド基や、ビニル基等のラジカル重合性を示す官能基を二つ以上有する化合物が好ましい。なお、溶解度パラメータｓｐが２０以上である光重合性モノマーＢの溶解度パラメータｓｐ値の上限値は特に限定されないが、溶解度パラメータｓｐ値が２０〜２７の範囲であることが好ましい。
【００３６】
上記の溶解度パラメータｓｐ値が２０以上である光重合性モノマーは、１種類でも２種類以上用いてもよい。また、溶解度パラメータｓｐ値が２０以上である光重合性モノマーＢの一部として、ｓｐ値が１７以上２０未満の光重合性モノマーを用いることもできる。但し、このｓｐ値が１７以上２０未満の光重合性モノマーは、ｓｐ値が２０以上である光重合性モノマーと共に用いて、それぞれのｓｐ値にモル分率を乗じた和として算出されたｓｐ値が２０以上になる範囲で用いる必要がある。
【００３７】
なお、本発明ではハンセン（Hansen）の溶解度パラメータを用い、単位は（Ｊｃｍ−３）１／２を用いる。ハンセンの溶解度パラメータの計算は、Ｈｏｙ法を用い、ソフトウエア（Computer Chemistry Consultancy社製  Hoy Solubility Parameter Calculation Software）により算出した。
【００３８】
光重合開始剤は、ベンゾイン・ベンゾインアルキルエーテル類、アセトフェノン類、アントラキノン類、チオキサントン類、ケタール類、ベンゾフェノン類、キサントン類等の公知慣用の光ラジカル重合開始剤が挙げられ、公知慣用の増感剤と組み合わせて用いることができる。
【００３９】
また、光硬化性樹脂組成物は、その他の添加剤を含有していてもよい。その他の添加剤としては、溶剤、酸化防止剤、紫外線吸収剤、光安定剤、シランカップリング剤、塗面改良剤、熱重合禁止剤、レベリング剤、界面活性剤、保存安定剤、可塑剤、滑剤、フィラー、老化防止剤、濡れ性改良剤等が挙げられる。
【００４０】
光硬化性樹脂組成物が含有する各成分の濃度は特に限定されないが、例えば、溶解度パラメータｓｐ値が１３．５〜１５．５の範囲である光重合性モノマーＡは、合計で６〜１５質量％、さらには１０〜１５質量％とすることができる。そして、溶解度パラメータｓｐ値が１３．５〜１５．５の範囲である光重合性モノマーＡのうち、溶解度パラメータｓｐ値が１３．５〜１５．５の範囲であり且つ末端にトリフルオロメチル基を有する光重合性モノマーａ１は３〜１０質量％、溶解度パラメータｓｐ値が１３．５〜１５．５の範囲であり且つ末端にジフルオロメチル基又はトリフルオロメチル基を有する光重合性モノマーａ２は１〜８質量％であることが好ましい。また、溶解度パラメータｓｐ値が２０以上である光重合性モノマーＢは７０〜９３質量％であることが好ましい。そして、光重合開始剤は０．５〜１０質量％であることが好ましい。
【００４１】
このように、本発明においては、特定の光重合性モノマー及び光重合開始剤を含有する光硬化性樹脂組成物を用いることにより、例えば、得られる硬化樹脂パターン（光硬化物４）の表面自由エネルギーを４２ｍＪｍ−２以下とすることができるためか、後述する実施例に示すように、離型工程でのモールドの離型が容易になり、繰り返しインプリントしても、光硬化性樹脂組成物の光硬化物である硬化樹脂パターン（光硬化物４）の基板１からの剥離や、硬化樹脂パターン（光硬化物４）は基板１から剥離しないが一部がモールド３に付着してしまう現象が防止でき、欠陥の無い硬化樹脂パターンが安定的に得られることを見出した。
【００４２】
これは、溶解度パラメータｓｐ値が１３．５〜１５．５の範囲の光重合性モノマーＡが１種類のみでは、溶解度パラメータｓｐが２０以上の光重合性モノマーＢとの相溶性が悪く、溶解度パラメータｓｐ値が１３．５〜１５．５の範囲の光重合性モノマーＡの硬化樹脂パターンの表面改質効果を発揮し難いが、溶解度パラメータｓｐ値が１３．５〜１５．５の範囲の光重合性モノマーＡを２種類以上用いると、溶解度パラメータｓｐが２０以上の光重合性モノマーＢへの相溶性が向上し、そのため、溶解度パラメータｓｐ値が１３．５〜１５．５の範囲の光重合性モノマーＡの硬化樹脂パターン表面への偏析を顕著に促進し、表面改質効果が向上したと推測できる。その結果、得られる硬化樹脂パターンの表面自由エネルギーを４２ｍＪｍ−２以下とすることができ、モールド３の離型が容易になり、繰り返しインプリントしても、硬化樹脂パターンの基板１からの剥離や、硬化樹脂パターンは基板１から剥離しないが一部がモールド３に付着してしまう現象が防止でき、安定的に欠陥の無い硬化樹脂パターンが得られる。そして、モールド３に離型処理をしなくても、繰り返しインプリントしても欠陥の無い硬化樹脂パターンが得られる。
【００４３】
ここで、硬化樹脂パターンの基板１からの剥離や、パターンの欠陥が無く、繰り返し安定的に硬化樹脂パターンを形成することができるという本発明の効果を発揮するためには、溶解度パラメータｓｐ値が１３．５〜１５．５の範囲である光重合性モノマーＡを２種類以上と、溶解度パラメータｓｐ値が２０以上である光重合性モノマーＢを１種類以上とを含む必要があり、例えば、溶解度パラメータｓｐ値が１３．５〜１５．５である光重合性モノマーＡの代わりに、溶解度パラメータｓｐ値が１３．５未満の光重合性モノマーを用いても、不溶なため本発明の効果を発揮することはできない。また、特許文献２や特許文献３記載されるように、単に、フッ素化合物や同一分子骨格中に反応性官能基と疎水性官能基を有する化合物を含有する光硬化性樹脂組成物を用いるだけでは、本発明の効果を発揮することはできない。また、特許文献２では、フッ素化合物を表層部に配置させるようにしているが、これに用いられているフッ素化合物は本発明のような重合性が無く、硬化樹脂の上に形成されその厚さは５ｎｍ以下であり、その効果は限定的且つ不安定あるという点で本発明とは異なるものであり、本発明の効果を発揮することはできない。
【００４４】
なお、表面自由エネルギーは公知の接触角測定器を用いて測定することができる。即ち、例えば、Ｄ．Ｋ．Ｏｗｅｎｓ  ｅｔ  ａｌ，  Ｊ．  Ａｐｐ．  Ｓｃｉ．、１３巻、１７４１ページ（１９６９年）に記載されるように、２種類の異なる液体を用いて、測定対象の表面の接触角（接触角）を測定し、それらの接触角から求めことができる。
【００４５】
具体的には、硬化樹脂膜の表面自由エネルギーは、下記式（２）を用いて求める。
γｌ(１＋ｃｏｓθ)＝２(γｓｄγｌｄ)０．５＋２(γｓｐγｌｐ)０．５・・・・（２）
【００４６】
式（２）において、γｌは液体の表面自由エネルギー、γｌｄは液体の分散成分、γｌｐは液体の極性成分、γｓｄは硬化樹脂膜の分散成分、γｓｐは硬化樹脂膜の極性成分、θは液体の接触角を表す。また、液体の表面自由エネルギーγｌは、液体の分散成分γｌｄと液体の極性成分γｌｐの和（γｌｄ＋γｌｐ）である。そして、本発明では、水とジヨードメタンの２種類の液体を用い、それぞれの液体を硬化樹脂膜（硬化樹脂パターン）上に同量滴下し、θ／２法により接触角を求める。θ／２法においては、硬化樹脂膜上に液滴により形成された微小液滴形状は円の一部と仮定でき、幾何の定理より液滴の左右端点と頂点を結ぶ直線の、硬化樹脂膜表面に対する角度の２倍が接触角θとなる。なお、水とジヨードメタンの分散成分γｌｄと極性成分γｌｐは下記表１の値を用いた。
【００４７】
水及びジヨードメタンそれぞれについて、θ／２法で求めた接触角θ、分散成分γｌｄ、極性成分γｌｐ、表面自由エネルギーγｌを、式（２）に代入し、その連立方程式から硬化樹脂膜の分散成分γｓｄと極性成分γｓｐを求める。そして、この分散成分γｓｄと極性成分γｓｐの和（γｓｄ＋γｓｐ）が、硬化樹脂膜の表面自由エネルギーγｓである。
【００４８】
【表１】
2013239535.tif 000002
【００４９】
光硬化性樹脂組成物を用いて、基板１に光硬化性樹脂組成物層２を形成する方法は特に限定されず、例えば、光硬化性樹脂組成物の塗布や滴下、具体的には、スピンコート、ロールコート、ディップコート、グラビアコート、ダイコート、カーテンコート、インクジェット塗布及びディスペンサー塗布等が挙げられる。光硬化性樹脂組成物層２の厚さは特に限定されないが、例えば、５ｎｍ〜２μｍが好ましく、１０ｎｍ〜１μｍがより好ましい。
【００５０】
次に、図１（ｂ）に示すように、基板１とモールド３とで光硬化性樹脂組成物層２を挟みこむことにより、モールド３表面の凹凸パターンに光硬化性樹脂組成物層２を充填する（成形工程）。この際、基板１をモールド３に押圧しても、モールド３を基板１に押圧してもよく、基板１及びモールド３の両方を押圧してもよい。基板１やモールド３を押圧する力は、例えば、０．０１〜５ＭＰａ程度とすることができる。異物混入によるモールド３の破壊を防ぐために、押圧する力は前記押圧の範囲内においても小さいほど好ましい。また、力をかけず、モールド３や基板１の自重による押圧でもよい。このように、基板１に対してモールド３を押圧することにより、モールド３の凹凸パターンに光硬化性樹脂組成物層２が充填されて成形される。光硬化性樹脂組成物層２とモールド３とを共に水平に保って光硬化性樹脂組成物層２とモールド３とを接触させることが好ましいが、得られるパターンに支障が生じなければ、水平に保つことに限定する必要はない。成形工程では、従来の光インプリントにおける装置を用いることができる。
【００５１】
次いで、図１（ｃ）に示すように、モールド３の凹凸パターンに光硬化性樹脂組成物層２を充填した状態で光硬化性樹脂組成物層２に活性エネルギー線を照射し、硬化させて光硬化物４とする（光硬化工程）。露光に用いる光源は、光硬化性樹脂組成物層２が硬化する波長の光を照射できるものであればよい。光源の例としては、低圧水銀ランプ、高圧水銀ランプ、超高圧水銀ランプ、メタルハライドランプ、キセノンランプ、カーボンアーク、水銀キセノンランプ、ＸｅＣｌ、ＫｒＦやＡｒＦ等のエキシマーレーザー、紫外あるいは可視光レーザー、及び紫外あるいは可視光ＬＥＤ等が挙げられる。光の照射量は、光硬化性樹脂組成物層２を硬化させることができる量であればよい。本発明を工業的に実施する際には、通常、１０Ｊ／ｃｍ２以下の範囲内で照射量を選定することが好ましく、３Ｊ／ｃｍ２以下の範囲内で照射量を選定することがより好ましい。なお、基板１及びモールド３のうち、照射する光に対して実質的に透明である部材の側から光硬化性樹脂組成物層２に光を照射する。
【００５２】
その後、図１（ｄ）に示すように、光硬化物４からモールド３を離型することにより、モールド３の凹凸パターンが表面に転写された硬化樹脂パターン（光硬化物４）を得ることができる（離型工程）。本発明においては、上記特定の光重合性モノマー及び光重合開始剤を含有する光硬化性樹脂組成物を用いているので、この離型工程を良好に行なうことができ、モールド３と硬化樹脂パターンとが離型されずに硬化樹脂パターンが基板１から剥離してしまうということがなく、また、硬化樹脂パターンは基板１から剥離しないが硬化樹脂パターンの一部がモールドに付着してしまうことによりパターン欠陥が生じることもない。そして、同じモールド３を用いて光インプリントを複数回行っても、モールド３の凹凸パターンを精密に転写した凹凸のパターンを表面に有する硬化樹脂パターンを安定的に形成することができる。離型する際には、基板１とモールド３とを共に水平に保って離型することが好ましいが、水平に保つことに限定する必要はない。
【００５３】
このようにして得られた硬化樹脂パターン（光硬化物４）は、硬化樹脂パターンの基板１とは反対側の表面層は、硬化樹脂パターンの基板１側の下層よりも、溶解度パラメータｓｐ値が１３．５〜１５．５の範囲である光重合性モノマーＡの硬化物を多く含むものとすることができる。つまり、後述する実施例に示すように、硬化樹脂パターンの表面層、すなわち、モールド３と接触する側に、溶解度パラメータｓｐ値が１３．５〜１５．５の範囲である光重合性モノマーＡの硬化物を偏析させることができる。
【００５４】
このようにして光インプリントにより硬化樹脂パターンを形成する際に、成形工程を、ペンタフルオロプロパンを含む不活性ガス雰囲気下で行うことが好ましい。また、成形工程に加えて、光硬化工程も、ペンタフルオロプロパンを含む不活性ガス雰囲気下で行ってもよい。なお、雰囲気のペンタフルオロプロパン濃度は、８０体積％以上であることが好ましく、９０体積％以上であることがより好ましい。ペンタフルオロプロパンを含む不活性ガス雰囲気下で行うことにより、本発明の効果、すなわち、光硬化性樹脂組成物の光硬化物である硬化樹脂パターンの基板１からの剥離や、パターンの欠陥が無く、繰り返し安定的に、光インプリント法で硬化樹脂パターンを形成することができるという効果が、よりいっそう発揮される。これは、本発明においては、上述した特定の光重合性モノマーと光重合開始剤とを含む光硬化性樹脂組成物を用いているため、光硬化性樹脂組成物層２、ひいては光硬化物４（硬化樹脂パターン）がペンタフルオロプロパンを吸収することにより、表面自由エネルギーが小さくなるためと考えられる。不活性ガスとしては、窒素、ヘリウム、アルゴン、ネオン、二酸化炭素等が挙げられる。
【００５５】
また、成形工程を、酸素濃度が２体積％以下である混合ガス雰囲気下で行うことが好ましい。また、成形工程に加えて、光硬化工程も、酸素濃度が２体積％以下である雰囲気下で行ってもよい。酸素濃度が２体積％以下である雰囲気下で行うことにより、光ラジカル重合での酸素阻害による硬化不良を防ぐことができる。
【実施例】
【００５６】
以下に、本発明を実施例及び比較例に基づいて説明するが、本発明はこれらの例によって何ら限定されるものではない。
＜光硬化性樹脂組成物の調製＞
表２に示されるｓｐ値１３．５〜１５．５の光重合性モノマーＡ、ｓｐ値２０以上の光重合性モノマーＢ及び光重合開始剤を、表２に示される割合で混合して、実施例１〜９及び比較例１〜３の光硬化性樹脂組成物をそれぞれ調製した。
【００５７】
溶解度パラメータｓｐ値が１３．５〜１５．５の範囲である光重合性モノマーＡを２種類以上と、溶解度パラメータｓｐ値が２０以上である光重合性モノマーＢを用いた実施例１〜９では、溶解度パラメータｓｐ値が１３．５〜１５．５の範囲である光重合性モノマーＡを６質量％以上と多量に混合しているが、均一な光硬化性樹脂組成物が得られた。また、溶解度パラメータｓｐ値が１３．５〜１５．５の範囲である光重合性モノマーＡとして、モノマー１のみを４．５質量％混合した比較例１も、均一な光硬化性樹脂組成物が得られた。なお、比較例２及び３は、相溶性が悪く白濁した液しか得られず、基板上に均一に塗布できなかったので、以下の工程は行わなかった。
【００５８】
【表２】
2013239535.tif 000003
【００５９】
＜表面自由エネルギーの算出と表面偏析の確認＞
次に、溶融シリカ基板に（３−アクリロイルプロピル）トリメトキシシランを塗布して、溶融シリカ基板上に密着層を形成した。この溶融シリカ基板上に形成された密着層上に、先に調製した実施例１〜９及び比較例３光硬化性樹脂組成物をそれぞれスピンコートで塗布し、それぞれ光硬化性樹脂組成物層を形成した。このようにして形成した光硬化性樹脂組成物層に、窒素雰囲気下、波長が３６５ｎｍで強度が１００ｍＷ／ｃｍ２の紫外線を１５秒間照射して、光硬化性樹脂組成物層を硬化させることにより、光硬化物を得た。
【００６０】
得られた光硬化物について、式（２）を用いる上述した方法で表面自由エネルギーを求めた。具体的には、まず、水とジヨードメタンの２種類の液体を用い、それぞれの液体を光硬化物上に同量滴下し、θ／２法により接触角を求めた。次に、水及びジヨードメタンそれぞれについて、θ／２法で求めた接触角θ、表１に示す分散成分γｌｄ及び極性成分γｌｐ、表面自由エネルギーγｌを、式（２）に代入し、その連立方程式から硬化樹脂膜の分散成分γｓｄと極性成分γｓｐを求めた。そして、この分散成分γｓｄと極性成分γｓｐの和（γｓｐ＋γｓｄ）として光硬化物の表面自由エネルギーγｓを求めた。結果を表３に示す。
【００６１】
表３に示すように、実施例１〜９の光硬化性樹脂組成物の光硬化物は、いずれも表面自由エネルギーが比較例１に比べて小さく、４２ｍＪ／ｍ２以下であった。なお、表面自由エネルギーγｓを求めた光硬化物は、モールド表面の凹凸パターンが表面に転写されていない平らな形状であるが、凹凸パターンが表面に転写された光硬化物、すなわち、樹脂パターンとしても、表面自由エネルギーγｓは変わらない。すなわち、表面自由エネルギーを低下させる、溶解度パラメータｓｐ値が１３．７５であり且つ末端にトリフルオロメチル基を有するモノマー１とｓｐ値が１３．７８であり且つ末端にジフルオロメチル基を有するモノマー２が表面に偏析していた。
【００６２】
【表３】
2013239535.tif 000004
【００６３】
＜Ｘ線光電子分光法による表面偏析の確認＞
Ｘ線光電子分光装置（アルバック・ファイ社製ＰＨＩ５６００）により、上記＜表面自由エネルギーの算出と表面偏析の確認＞で作成した実施例１の光硬化物の元素分析を行い、炭素原子（Ｃ）に対するフッ素原子（Ｆ）の割合であるＦ／Ｃ値を測定した。テイクオフ角度９０°でのＦ／Ｃ値は０．０７７であり、テイクオフ角度１５°でのＦ／Ｃ値は０．２１３であった。テイクオフ角度が小さいときにＦ／Ｃ値が大きくなることから、Ｆ原子が膜表面近傍に多く存在した。すなわち、溶解度パラメータｓｐ値が１３．７５のモノマー１とｓｐ値が１３．７８のモノマー２が表面に偏析していた。また、上記＜表面自由エネルギーの算出と表面偏析の確認＞で作成した実施例２〜９の光硬化物についても同様にして元素分析を行ったところ、実施例１と同様に、光重合性モノマーａ１及び光重合性モノマーａ２が表面に偏析していることが確認された。
【００６４】
＜パターン形成における繰り返し＞
上記＜表面自由エネルギーの算出と表面偏析の確認＞と同様にして、溶融シリカ基板に（３−アクリロイルプロピル）トリメトキシシランを塗布して、溶融シリカ基板上に密着層を形成し、この溶融シリカ基板上に形成された密着層上に、先に調製した実施例１〜９及び比較例３の光硬化性樹脂組成物をそれぞれスピンコートで塗布し、それぞれ光硬化性樹脂組成物層を形成した。なお、光硬化性樹脂組成物層は、厚さが０．８μｍになるようにした。この光硬化性樹脂組成物層に、表面に凹凸パターンを有するシリカモールド（ＮＩＭ−ＰＨ３５０、ＮＴＴ−ＡＴ製）を押し付け、シリカモールドの凹部に光硬化性樹脂組成物層を充填した（成形工程）。その後、波長が３６５ｎｍで強度が１００ｍＷ／ｃｍ２の紫外線を１５秒間照射して、光硬化性樹脂組成物層を硬化させることにより、光硬化物とした（光硬化工程）。次に、シリカモールドを離型することにより、光硬化物からなり、シリカモールドの凹凸が表面に転写された硬化樹脂パターンを得た（離型工程）。この光硬化性樹脂組成物層を形成する工程、成形工程、光硬化工程及び離型工程を順に行う操作、すなわち、インプリント操作を繰り返した。なお、成形工程については、酸素が１体積％でペンタフルオロプロパンが９８体積％の窒素との混合ガス雰囲気下で行い、その他の工程については、大気中で行った。また、実施例１については、全ての工程を大気中でも行った。得られた硬化樹脂パターンを観察し、パターン欠陥が出なかった繰り返し回数を、表４に示す。
【００６５】
表４に示すように、本発明の光インプリント方法では、ペンフルオロプロパンの存在無しでインプリント操作を２５回以上繰り返しても、硬化樹脂パターンに欠陥は観察されなかった。また、本発明の光インプリント方法では、ペンタフルオロプロパンの存在下では、１００回以上繰り返しても、硬化樹脂パターンに欠陥は観察されなかった。実施例１の光硬化性樹脂組成物を用いてペンタフルオロプロパンの存在下で行った場合において、繰り返し回数が１１回目と１０１回目でそれぞれ形成された硬化樹脂パターンの表面を、走査型電子顕微鏡で観察した写真を、図２（ａ）（１１回目）及び図２（ｂ）（１０１回目）に示す。図２に示すように、１１回目と１０１回目でパターンの変形等が無いことが確認できた。一方、比較例１では、１１回行うと、パターン欠陥が生じた。なお、実施例１〜９及び比較例１とも、離型工程において、硬化樹脂パターンの基板からの剥離は生じなかった。
【００６６】
【表４】
2013239535.tif 000005
【符号の説明】
【００６７】
１  基板                              ２  光硬化性樹脂組成物層
３  モールド                          ４  光硬化物
【図１】
2013239535.tif 000006
【図２】
2013239535.tif 000007